(57)【要約】      （修正有）【課題】取付や取り外しが簡単に行える座椅子用アタッチメントスピーカーセットを提供する。【解決手段】座椅子用アタッチメントは、伸縮横架材１と、おん１ａとめん１ｂで構成している。めん１ｂには長穴２を穿設し、おん１ａにはネジ穴３を螺設する。おん１ａとめん１ｂは填め合わせ形状を互いに有し、両者一体となってスライド嵌合可能な構造を有する。４はスピーカーであり、ボールジョイント５を介して伸縮横架材１に設置する。止めビス６は、おん１ａのねじ穴３と螺合する。座椅子の背もたれ側面に向けて当接する垂架材が７である。当該垂架材７はおん１ａとめん１ｂそれぞれの端に垂設する。【選択図】図２
0003177380.tif 000002
【実用新案登録請求の範囲】
【請求項１】
座椅子の背もたれ天端に沿って当接する伸縮横架材を設け、当該伸縮横架材の両端には、前記座椅子の背もたれ側面に向けて当接する垂架材を垂設し、当該垂架材に、アンプを内蔵し無線式又は有線式にて使用するスピーカーをボールジョイント又はフレキシブルジョイントを介して設置し、伸縮横架材には伸縮長を固定できる係止装置を設け、又、伸縮横架材と前記垂架材を肌触りの良い被覆材でカバーリングしたことを特徴とする座椅子用アタッチメントスピーカーセット。
【請求項２】
伸縮横架材と垂架材に座椅子の背もたれの正面又は背面に向けて延出するエプロンを張り出させたことを特徴とする請求項１記載の座椅子用アタッチメントスピーカーセット。
【請求項３】
円筒の円周壁一部を切り欠いた形状からなる断面Ｃ型の把持体を設け、当該把持体を変形させても元の形に戻ろうとする内部応力を有する素材で形成し、当該把持体に、アンプを内蔵し無線式又は有線式にて使用するスピーカーをボールジョイント又はフレキシブルジョイントを介して設置したことを特徴とする座椅子用アタッチメントスピーカーセット。
【考案の詳細な説明】
【技術分野】
【０００１】  本考案は居間等で使用する座椅子に簡単セットして、ＡＶ機器の音源を耳元で聴くことのできる座椅子用アタッチメントスピーカーセットに関する。
【背景技術】
【０００２】  従来、製造段階から椅子の背もたれにスピーカーを組み込んだものは有ったが、普及していない。現在の主流はテレビの音や音響機器の音を有線又は無線で、レシーバー形式か、手元付近に分岐した機器を介してスピーカーで聴いている。
【考案の概要】
【考案が解決しようとする課題】
【０００３】  頭に掛けるレシーバーで聴く場合、体に違和感や眼鏡の蔓が押しつけられて生じる痛みがあったり、立ったり座ったりする際にコードが邪魔になったり、それに頭から外したり付けたりと機動性に欠けていた。又、手元付近に分岐した機器を介しスピーカーで聴く場合、その置き場所が制約されたり、その装置が邪魔になっていた。
【課題を解決するための手段】
【０００４】  そこで、本考案は座椅子の背もたれ天端に沿って当接する伸縮横架材を設け、当該伸縮横架材の両端には、前記座椅子の背もたれ側面に向けて当接する垂架材を垂設し、当該垂架材に、アンプを内蔵し無線式又は有線式にて使用するスピーカーをボールジョイント又はフレキシブルジョイントを介して設置し、伸縮横架材には伸縮長を固定できる係止装置を設け、又、伸縮横架材と前記垂架材を肌触りの良い被覆材でカバーリングした座椅子用アタッチメントスピーカーセットと、
前記スピーカーセットのうち伸縮横架材と垂架材に、座椅子の背もたれの正面、側面又は背面に向けて延出するエプロンを張り出させた座椅子用アタッチメントスピーカーセットと、
円筒の円周壁一部を切り欠いた形状からなる断面Ｃ型の把持体を設け、当該把持体を変形させても元の形に戻ろうとする内部応力を有する素材で形成し、当該把持体にアンプを内蔵し無線式又は有線式にて使用するスピーカーをボールジョイント又はフレキシブルジョイントを介して設置した座椅子用アタッチメントスピーカーセットとし従来技術の問題点を解決している。
【考案の効果】
【０００５】  人間は歳をとるに従い元来、耳が遠くなり聞こえ辛くなる傾向にある。従って音量を高くして聴くことになる。良く聞こえる人にとっては音量が大きくうるさく感じる。聞こえ辛く感じる人にとっては、座っていてごく近くの両サイドから音が聞こえてくるから良く聞こえ、又、深夜でも気がねなく回りの人にも迷惑を掛けずに聴くことが出来て極めてパーソナルな装置となる。又、聴く人の耳のごく近くにスピーカーがあるため、より一層ステレオ効果が楽しめるメリットもある。安楽のまま音量調節、ＯＮ・ＯＦＦできる。耳の近くのベストなポジションにスピーカーを自然配置出来る。耳の高さに応じてアジャスト可能なので大人も子供も個々の体格に合わせて対応でき便利に使用できる。
【図面の簡単な説明】
【０００６】
【図１】本考案の実施例を示す斜視図である。
【図２】可動状態を示す斜視図である。
【図３】本考案の実施例を示す斜視図である。
【図４】可動状態を示す斜視図である。
【図５】本考案の実施例を示す斜視図である。
【図６】屈撓を示す斜視図である。
【図７】装着状態を示す斜視図である。
【図８】装着状態を示す斜視図である。
【図９】装着状態を示す斜視図である。
【図１０】本考案の実施例を示す斜視図である。
【図１１】可動状態を示す斜視図である。
【考案を実施するための形態】
【０００７】  座椅子は往々にしてクッション材で覆われており弾性がある。弾性のあるところに物を強く圧着させれば、その物が食い込んで埋まり定着する。この作用を利用して、座椅子の背もたれ側面を強く挟み込んで埋まることで定着し、背もたれの天端に載置できてその天端から垂直方向の反力を得て定着できることにより、水平方向にも垂直方向にも安定して定着できる技術的思想を実現できる形態とした。又、食い込みと把持する力で水平方向にも垂直方向にも安定して定着できる技術的思想を実現できる形態ともした。
【実施例】
【０００８】  以下、添付図面に従って一実施例を説明する。図１において、１は伸縮横架材であり、おん１ａとめん１ｂで構成している。めん１ｂには長穴２を穿設し、おん１ａにはネジ穴３を螺設する。おん１ａとめん１ｂは填め合わせ形状を互いに有し、両者一体となってスライド嵌合可能な構造を有する。４はスピーカーであり、ボールジョイント５を介して伸縮横架材１に設置する。６は止めビスであり、おん１ａのねじ穴３と螺合する。座椅子の背もたれ側面に向けて当接する垂架材が７である。当該垂架材７はおん１ａとめん１ｂそれぞれの端に垂設する。図２はおん１ａとめん１ｂがスライド嵌合可能な構造を有する結果として可能となる可動状態を示す斜視図である。８は肌触りの良い被覆材である。【０００９】  図３において、９はエプロン１０付きの伸縮横架材であり、おん９ａとめん９ｂで構成している。めん９ｂには長穴２を穿設し、おん９ａにはネジ穴３を螺設する。おん９ａとめん９ｂは填め合わせ形状を互いに有し、両者一体となってスライド嵌合可能な構造を有する。４はスピーカーであり、ボールジョイント５を介して伸縮横架材９に設置する。６は止めビスであり、おん９ａのねじ穴３と螺合する。座椅子の背もたれ側面に向けて当接する垂架材が７である。当該垂架材７はおん９ａとめん９ｂそれぞれの端に垂設する。図４はおん９ａとめん９ｂがスライド嵌合可能な構造を有する結果、可能となる可動状態を示す斜視図である。８は肌触りの良い被覆材である。【００１０】  図５において、円筒の円周壁一部を切り欠いた形状からなる断面Ｃ型の把持体が１１であり、スピーカー４をボールジョイント５を介して設置している。図６は当該把持体１１を変形させても元の形に戻ろうとする内部応力を有する合成樹脂材又はバネ状金属で形成させている結果として可能となる屈撓を示す斜視図である。８は肌触りの良い被覆材である。【００１１】  図７乃至図９は、伸縮横架材１を有するアタッチメントスピーカーセット、伸縮横架材９を有するアタッチメントスピーカーセット及び把持体１１を有するアタッチメントスピーカーセットのそれぞれを座椅子１２に用いた装着状態を示す斜視図である。図中、Ａが背もたれ天端、Ｂが背もたれ側面、Ｃが背もたれの正面及びＤが背もたれの背面である。【００１２】  図１０において、１は伸縮横架材であり、おん１ａとめん１ｂで構成している。めん１ｂには長穴２を穿設し、おん１ａにはネジ穴３を螺設する。おん１ａとめん１ｂは填め合わせ形状を互いに有し、両者一体となってスライド嵌合可能な構造を有する。４はスピーカーであり、フレキシブルジョイント１３を介して伸縮横架材１に設置する。６は止めビスでありおん１ａのねじ穴３と螺合する。座椅子の背もたれ側面に向けて当接する垂架材が７である。当該垂架材７はおん１ａとめん１ｂそれぞれの端に垂設する。図１１はフレキシブルジョイント１３を使用した可動状態を示す斜視図である。【００１３】  図２において、おん１ａとめん１ｂのスライド嵌合を用いて伸縮横架材１の全長を、座椅子１２の背もたれ天端の渡りの長さより若干短くなる位置に止めビス６で固定する。このように固定した伸縮横架材１の一方の垂架材７から他方の垂架材７までの内寸法は、背もたれ天端の渡りの長さより短くなるから、伸縮横架材１は座椅子１２の背もたれ側面Ｂの両サイドを挟み込むように食い込み、食い込みと把持する力で水平方向に安定して定着する（図７参照）。又、伸縮横架材１の底面は座椅子１２の背もたれ天端に載置できてその天端から垂直方向の反力を得て定着できることにより、垂直方向にも安定して定着できる。【００１４】  図３において、伸縮横架材９にはエプロン１０が形設している。このエプロン１０は座椅子１２の背もたれ上面に被さってズレ防止の鍔の役割を果たす（図８参照）。食い込みと把持する力で水平方向に安定して定着する作用は、段落００１３の説明の場合と同じである。図４において、おん９ａとめん９ｂのスライド嵌合を用いて伸縮横架材９の全長を、座椅子１２の背もたれ天端の渡りの長さより若干短くなる位置に止めビス６で固定する。【００１５】  図６において、把持体１１は合成樹脂材又はバネ状金属で出来ており図中の矢印で示すように、内部応力に抗して変形可能である。そこで、座椅子１２の側面Ｂの幅以上に把持体１１を手の力で押し広げ、そのまま座椅子１２の側面Ｂを咥えるように押し込んで、手の力を抜くと把持体１１の元の形に戻ろうとする内部応力により、把持体１１は座椅子１２の側面を咥え込んで垂直方向にも水平方向にも動かず定着する（図９参照）。【００１６】  スピーカー４はボールジョイント５又はフレキシブルジョイント１３を介して伸縮横架材や把持体に設置しているので、図７乃至図９及び図１１に示すようにその向きを変えることができる。【００１７】  １    伸縮横架材
１ａ  おん
１ｂ  めん
２    長穴
３    ネジ穴
４    スピーカー
５    ボールジョイント
６    止めビス
７    垂架材
８    被覆材
９    伸縮横架材
９ａ  おん
９ｂ  めん
１０    エプロン
１１    把持体
１２    座椅子
１３    フレキシブルジョイント
【図１】
0003177380.tif 000003
【図２】
0003177380.tif 000004
【図３】
0003177380.tif 000005
【図４】
0003177380.tif 000006
【図５】
0003177380.tif 000007
【図６】
0003177380.tif 000008
【図７】
0003177380.tif 000009
【図８】
0003177380.tif 000010
【図９】
0003177380.tif 000011
【図１０】
0003177380.tif 000012
【図１１】
0003177380.tif 000013